(57)【要約】【課題】このごみ清掃器は，フォークリフト等の走行車両に取付け取外し可能であり，走行中に路面を清掃できる。【解決手段】ごみ清掃器４は，車両本体２に対して取り付けられたごみ収集容器７とタイヤ３に摺接して踏面１３に付着したごみをかき落としてごみ収集容器７内へ収容させるかき取り手段１５とから成るアタッチメント５に構成されている。かき取り手段１５は，  回転自在なブラシ９，枢支軸１１に揺動可能に支持され且つブラシ９を回転自在に支持したアーム８，及びアーム８に取り付けられたブラシ９をタイヤ３の踏面１３に押し付けるためのスプリング１０を有している。【選択図】        図４
2004231148.tif 000002
【特許請求の範囲】
【請求項１】
車両本体及び該車両本体に回転可能に取り付けられた走行用タイヤを有する走行車両において，前記車両本体に対して取り付けられたごみ収集容器，及び前記ごみ収集容器の上方に位置して前記車両本体に対して取り付けられ且つ前記タイヤに摺接して前記タイヤに付着したごみを前記ごみ収集容器内へかき落とすかき取り手段から成ることを特徴とする走行車両に装着可能なごみ清掃器。
【請求項２】
前記かき取り手段と前記ごみ収集容器は，前記車両本体に取付け取外し可能に固定されるブラケットに取り付けてアタッチメントに構成されていることを特徴とする請求項１に記載の走行車両に装着可能なごみ清掃器。
【請求項３】
前記かき取り手段は，  前記タイヤの踏面に接する回転自在なブラシ，  一端が前記ブラケットに設けた枢支軸に揺動可能に支持され且つ他端の自由端に前記ブラシを回転自在に取り付ける支持アーム，及び前記ブラシを前記タイヤの前記踏面に押し付けるため一端が前記支持アームに且つ他端が前記ブラケットに取り付けられたスプリングを有することを特徴とする請求項２に記載の走行車両に装着可能なごみ清掃器。
【請求項４】
前記ブラケットには，前記かき取り手段の前記ブラシによって前記タイヤからかき取られた前記ごみを前記ごみ収集容器へガイドするため，前記ごみ収集容器の入口近傍にごみガイド板が設けられていることを特徴とする請求項２又は３に記載の走行車両に装着可能なごみ清掃器。
【請求項５】
前記ごみガイド板と前記ごみ収集容器との前記タイヤに対向する側の壁面は，泥除けカバーの機能を有していることを特徴とする請求項４に記載の走行車両に装着可能なごみ清掃器。
【請求項６】
前記走行車両は，工場，倉庫，道路等の路面を走行して各種の作業を行うフォークリフト等の作業車であることを特徴とする請求項１〜５のいずれか１項に記載の走行車両に装着可能なごみ清掃器。
【請求項７】
前記ごみ収集容器と前記かき取り手段とを取り付けた前記ブラケットは，前輪の前記タイヤの後方及び／又は後輪の前記タイヤの前方において前記車両本体に設けたフェンダ又は前記車両本体に取り付けられていることを特徴とする請求項２〜６のいずれか１項に記載の走行車両に装着可能なごみ清掃器。
【発明の詳細な説明】
【０００１】
【発明の属する技術分野】
この発明は，工場，倉庫，道路等の路面を走行して各種の作業を行うフォークリフト等の作業車のタイヤに付着したごみをかき取って収集し，路面を清掃する走行車両に装着可能なごみ清掃器に関する。
【０００２】
【従来の技術】
従来，フォークリフト等の作業車は，部品，ワーク等の物体の搬送や移動の種々の作業を行うため，工場，倉庫，道路等の路面を走行しているが，車両の走行の際に，路面上に落ちている汚染物，塵等のごみを路面に付着させてしまったり，散乱させ，路面を汚染させる原因になっている。通常，路面上のごみ等を収集して清掃する車両は，ロードスイーパ等の清掃車である。
【０００３】
従来，路面清掃車として，回転ブラシを設けたものが知られている。該路面清掃車は，走行車輪が路面に圧接されることで回転する回転ブラシ体を有する。回転ブラシ体は，一方の前方走行輪の回転力がベベルギヤを介して連動し，ゴミを中央部に集める横回転ブラシ体を設ける。他方の走行輪の回転力が巻き掛け伝動装置を介して連動し，横回転ブラシ体で集めたゴミを収納体上に掻きあげる縦回転ブラシ体を設ける。これらの走行輪は，他の駆動車に連結されたり，人力によって走行される（例えば，特許文献１参照）。
【０００４】
また，産業車両における清掃装置が知られている。該清掃装置は，車体に作業機を備えたものであり，車体の底部に駆動源より動力を受けて回転自在となる車体進行方向左右に向かう水平軸を備え，水平軸の周囲にわたってブラシを固定すると共に，ブラシの内部に収納し，ブラシの下部側を下方に突出するように下部に開口部を形成したごみ回収ボックスを備えたものである（例えば，特許文献２参照）。
【０００５】
また，タイヤについた汚れを走行中に落とすことができる自動車のタイヤブラシが知られている。該自動車のタイヤブラシは，自動車の車体又は車輪にその一端を揺動可能に吊り下げられている吊り下げ部，吊り下げ部の他端に回転可能に取り付けた支持部，及び支持部に固定したブラシ体を有し，ブラシ体が走行中のタイヤの側壁と接触して支持部と共に回転するように構成されている（例えば，特許文献３参照）。
【０００６】
【特許文献１】
特開平５−３４６０１０号公報（第１頁，図１）
【特許文献２】
特開平９−３０７８７号公報（第１頁，図３）
【特許文献３】
特開平１０−２１７９１７号公報（第１頁，図７）
【０００７】
【発明が解決しようとする課題】
ところで，各種の作業を行うフォークリフト等の作業車等の走行車両が工場，倉庫，道路等の路面を走行した際に，路面上のごみをタイヤで踏み付け，散乱させることなく，清掃することが要望されている。例えば，フォークリフト等の作業車が各種の作業をしつつ路面を走行した際に，作業と共に同時に路面上のごみを収集して路面を清掃できれば，路面上にごみを付着させたり，ごみを散乱させないことになり，そのためには，作業車等の走行車両が作業をしつつ路面を清掃するには如何に作業車等の走行車両を構成すればよいかの課題がある。
【０００８】
【課題を解決するための手段】
この発明の目的は，上記の課題を解決することであり，フォークリフト等の作業車の走行車両が各種の作業をしつつ路面を走行した際に，路面上のごみをタイヤの走行と共に収集し，ごみを路面上に付着させたり，散乱させることがなく，既存や新車の走行車両に容易に取り付けることができる走行車両に装着可能なごみ清掃器を提供することである。
【０００９】
この発明は，車両本体及び該車両本体に回転可能に取り付けられた走行用タイヤを有する走行車両において，前記車両本体に対して取り付けられたごみ収集容器，及び前記ごみ収集容器の上方に位置して前記車両本体に対して取り付けられ且つ前記タイヤに摺接して前記タイヤに付着したごみを前記ごみ収集容器内へかき落とすかき取り手段から成ることを特徴とする走行車両に装着可能なごみ清掃器に関する。
【００１０】
また，前記かき取り手段と前記ごみ収集容器は，前記車両本体に取付け取外し可能に固定されるブラケットに取り付けてアタッチメントに構成されている。
【００１１】
前記かき取り手段は，  前記タイヤの踏面に接する回転自在なブラシ，  一端が前記ブラケットに設けた枢支軸に揺動可能に支持され且つ他端の自由端に前記ブラシを回転自在に取り付ける支持アーム，及び前記ブラシを前記タイヤの前記踏面に押し付けるため一端が前記支持アームに且つ他端が前記ブラケットに取り付けられたスプリングを有するものである。
【００１２】
前記ブラケットには，前記かき取り手段の前記ブラシによって前記タイヤからかき取られた前記ごみを前記ごみ収集容器へガイドするため，前記ごみ収集容器の入口近傍にごみガイド板が設けられている。
【００１３】
前記ごみガイド板と前記ごみ収集容器との前記タイヤに対向する側の壁面は，泥除けカバーの機能を有している。
【００１４】
前記走行車両は，工場，倉庫，道路等の路面を走行して各種の作業を行うフォークリフト等の作業車である。
【００１５】
前記ごみ収集容器と前記かき取り手段とを取り付けた前記ブラケットは，前輪の前記タイヤの後方及び／又は後輪の前記タイヤの前方において前記車両本体に設けたフェンダ又は前記車両本体に取り付けられている。
【００１６】
この走行車両に装着可能なごみ清掃器は，上記のように構成されているので，ごみ収集容器とかき取り手段を備えたブラケットから成るアタッチメントとして既存又は新車の作業車等の走行車両に容易に取り付けることができ，特に，作業車の路面の走行時に，タイヤに付着してタイヤと共に回転して持ち上がるタイヤの摩耗粉，塵，埃等のごみがブラシによってタイヤからかき落とされ，該ごみがごみガイド板に案内されてごみ収集容器へ集められる。従って，路面上に落ちているごみは，作業車のタイヤで散乱したり，或いは路面に固着して路面を汚すことがなく，作業車が一種の清掃車として機能することになる。
【００１７】
【発明の実施の形態】
以下，図面を参照して，この発明による走行車両に装着可能なごみ清掃器の実施例を説明する。
【００１８】
この発明によるごみ清掃器４は，図１に示すように，工場，倉庫，道路等の路面１２を走行して各種の作業を行うフォークリフト等の作業車を含む走行車両１に装着可能に取り付けられるものであり，既存の走行車両１は勿論のこと新車の走行車両１にも容易に取付け取外しができるものである。例えば，作業車である走行車両１は，図１に示すように，車両本体２の前方にフォーク２０を備えており，車両本体２にはクロスヘッド２５で隔置した一対のマスト２４を有している。マスト２４には，油圧装置２１の作動によってリフトチェーン２３が旋回移動して上下移動するリフトブラケット２２が取り付けられている。リフトブラケット２２には，一対のフォーク２０が設けられている。エンジン１９が搭載された作業車１には，車両本体２上に，天蓋２６，走行用ハンドル２９及び運転台２７が設けられ，運転士がエンジン１９の駆動中に操作レバー２８を操作することによって油圧装置２１を作動し，フォーク２０を上下移動させ，フォーク２０上の積荷の搬送，フォーク２０への積荷の積み卸しを行うように構成されている。
【００１９】
ごみ清掃器４は，車両本体２に回転可能に取り付けられた走行用タイヤ３に近接して泥除けカバー即ちフェンダ３０に取り付けられ，車両本体２に対して取り付けられたごみ収集容器７，及びごみ収集容器７の上方に位置して車両本体２に対して取り付けられ且つタイヤ３に摺接してタイヤ３の踏面１３に付着したごみをかき落としてごみ収集容器７内へ収容させるかき取り手段１５から構成されている。また，図では，ごみ清掃器４のアタッチメント５を，車両本体２のフェンダ３０に取り付けられているが，必ずしもこの構造に限定されるものではなく，フェンダ３０が車両本体２に設けられていないタイプの走行車両１の場合には，ごみ清掃器４のアタッチメント５を構成するブラケット６をタイヤ３に近接して車両本体２に直接取り付ければよいことは勿論である。
【００２０】
かき取り手段１５とごみ収集容器７は，車両本体２に取外し可能に固定されたブラケット６に取り付けられる一種のアタッチメント５に構成されている。かき取り手段１５は，  タイヤ３の踏面１３に接する回転自在なブラシ９，  一端がブラケット６に設けた枢支軸１１に揺動可能に支持され且つ他端の自由端にブラシ９を回転自在に支持した支持アーム８，及び支持アーム８の自由端に取り付けられたブラシ９をタイヤ３の踏面１３に押し付けるため一端が支持アーム８に且つ他端がブラケット６に取り付けられたスプリング１０を有している。
【００２１】
詳しくは，図５に示すように，一対の支持アーム８は，枢支軸１１に揺動可能に支持された一対の支柱３３に取り付けられたクロスバー３４に固定されており，両支持アーム８は，ブラシ９がタイヤ３に接して回転する時に，同時に揺動するように構成されている。また，ブラシ９は，一対の支持アーム８の下端に設けられた回転軸１４に回転自在に取り付けられている。
【００２２】
ブラケット６には，かき取り手段１５のブラシ９によってタイヤ３からかき取られたごみをごみ収集容器７へガイドするため，ごみ収集容器７の入口１７の近傍にごみガイド板１６が設けられている。ごみガイド板１６とごみ収集容器７とのタイヤ３に対向する壁面１８は，一種の泥除けカバー即ちフェンダ３０の機能を有している。
【００２３】
ごみ収集容器７とかき取り手段１５とを取り付けたブラケット６は，作業車である走行車両１のタイヤ３に近接した位置であれば，何れの場所にでも取り付けることができる。例えば，前輪３１では，図２及び図４に示すように，タイヤ３の後方において車両本体２に設けたフェンダ３０にブラケット６を取り付けられることがごみ収集の点から好ましい。また，後輪３２では，図３に示すように，タイヤ３の前方において車両本体２に設けたフェンダ３０にブラケット６を取り付けられることがごみ収集の点から好ましい。
【００２４】
ごみ清掃器４には，ブラシ９がスプリング１０によってタイヤ３の踏面１３に押し付けられているので，走行車両即ち作業車１が路面１２を走行する時に，タイヤ３の踏面１３に付着したごみは，ブラシ３によってかき落とされ，ごみガイド板１６に沿ってごみ収集容器７に収容される。また，ごみ清掃器４では，ごみがごみ収集容器７に一杯になれば，或いは定期的にごみ収集容器７からごみを排除すればよく，ごみ収集容器７自体は何度でも反復利用できるものである。ごみ収集容器７は，ブラケット６に容易に取外し可能に取り付けておけば好ましいものであり，ブラケット６への取付け構造が限定されるものではない。
【００２５】
ごみ清掃器４は，上記のように構成されているが，上記の実施例に限定されるものではない。例えば，ごみ収集容器７は，図示していないが，底部にスライド式プレートを取り付けてプレートを引き出せば，底部が開口するタイプに形成してもよく，その場合には，ごみは極めて容易に取り出すことができる。また，ブラケット６自体は，車両本体２の形状に適合するように，形状変更することができるものであり，それに適合するように，ごみ収集容器７，かき取り手段１５及びごみガイド板１６の形状を変更することもできる。いずれにしても，走行車両１は，走行するためタイヤ３を回転させるものであり，ごみ清掃器４は，回転するタイヤ３の近傍に取り付けるので，ごみ清掃器４自体がタイヤ３に巻き込まれたり，或いはタイヤ３にブラシ９以外のものが接触して破損しないように，安全性を考慮して走行車両１に確実に且つ堅牢に取り付ける必要があることはいうまでもないことである。
【００２６】
【発明の効果】
この走行車両に装着可能なごみ清掃器は，上記のように構成されているので，フォークリフト等の作業車が工場，倉庫，道路等の路面を走行して各種の作業を行うため走行する時に，路面に落ちている摩耗粉，塵，埃等のごみをタイヤ自体が同時にピックアップし，ごみをごみ収集容器に収集でき，路面が清掃され，路面が汚れたり，摩耗粉，塵，埃等のごみがなくなり，路面が常に清掃され，作業者にとってもクリーンな作業環境を維持することができ，また，既に作業車の走行によって路面がほぼ清掃されているので，終業時の清掃も簡単になり，清掃の作業時間を短縮できる。
【図面の簡単な説明】
【図１】この発明によるごみ清掃器を装着したフォークリフト等の走行車両を示す斜視図である。
【図２】この発明によるごみ清掃器を走行車両の前輪に対して装着した状態を示す側面図である。
【図３】この発明によるごみ清掃器を走行車両の後輪に対して装着した状態を示す側面図である。
【図４】この発明によるごみ清掃器を走行車両の前輪に対して装着した状態を拡大して示す側面図である。
【図５】図４の走行車両に装着可能なごみ清掃器を示す正面図である。
【符号の説明】
１    走行車両（フォークリフト）
２    車両本体（フレーム）
３    タイヤ
４    ごみ清掃器
５    アタッチメント
６    ブラケット
７    ごみ収集容器
８    支持アーム
９    ブラシ
１０  スプリング
１１  枢支軸
１２  路面
１３  踏面
１４  回転軸（ブラシ）
１５  かき取り手段
１６  ごみガイド板
１７  入口（ごみ収集容器）
１８  壁面（泥除け）
３０  泥除けカバー（フェンダ）
３１  前輪
３２  後輪
符号の説明の参考                        ０３０００１ＫＢ
１    走行車両（フォークリフト）
２    車両本体（フレーム）
３    タイヤ
４    ごみ清掃器
５    アタッチメント
６    ブラケット
７    ごみ収集容器
８    支持アーム
９    ブラシ
１０  スプリング
１１  枢支軸
１２  路面
１３  踏面
１４  回転軸（ブラシ）
１５  かき取り手段
１６  ごみガイド板
１７  入口（ごみ収集容器）
１８  壁面（泥除け）
１９  エンジン
２０  フォーク
２１  油圧装置
２２  リフトブラケット
２３  リフトチェーン
２４  マスト
２５  クロスヘッド
２６  天蓋
２７  運転台
２８  操作レバー
２９  ハンドル
３０  泥除けカバー（フェンダ）
３１  前輪
３２  後輪
３３  支持部材
３４  クロスバー
【図１】
2004231148.tif 000003
【図２】
2004231148.tif 000004
【図３】
2004231148.tif 000005
【図４】
2004231148.tif 000006
【図５】
2004231148.tif 000007
【手続補正書】
【提出日】平成15年2月3日(2003.2.3)
【手続補正１】
【補正対象書類名】明細書
【補正対象項目名】符号の説明
【補正方法】変更
【補正の内容】
【符号の説明】
１    走行車両（フォークリフト）
２    車両本体（フレーム）
３    タイヤ
４    ごみ清掃器
５    アタッチメント
６    ブラケット
７    ごみ収集容器
８    支持アーム
９    ブラシ
１０  スプリング
１１  枢支軸
１２  路面
１３  踏面
１４  回転軸（ブラシ）
１５  かき取り手段
１６  ごみガイド板
１７  入口（ごみ収集容器）
１８  壁面（泥除け）
３０  泥除けカバー（フェンダ）
３１  前輪
３２  後輪